(57)【要約】【課題】ラックマウント筺体電源のヒューズが、被搭載装置の電源ヒューズより先に溶断する障害を防止し、且つ、電源入力の不良、故障部分の保守・交換を容易にできる電源供給装置を提供する。【解決手段】電源制御回路２０は、ＡＣ電源入力３２を状態監視する入力ラインアラーム検出手段２１と、被搭載装置１３、１４、１５へのＡＣ電源入力３２を給電口７、８、９で状態監視する被搭載装置電源動作検出手段２３と、ヒューズバイパス回路１０、１１、１２のヒューズをバイパスするか否かを制御するヒューズバイパス制御手段２４と、障害情報を診断プロセッサ６へ送信する障害情報通報手段とで構成する。【選択図】      図１
2004187381.tif 000002
【特許請求の範囲】
【請求項１】
ラックマウント筐体と、前記ラックマウント筐体に搭載される複数の被搭載装置と、前記ラックマウント筐体内に配備され前記被搭載装置へ電源供給を行うラックマウント筐体電源とを有し、前記ラックマウント筐体電源は、ブレーカがオンのとき電源入力が供給される電源制御回路と、ヒューズを備えたヒューズバイパス回路とを有し、前記被搭載装置は電源ヒューズを有し、前記電源制御回路は、前記電源入力を状態監視する手段と、前記被搭載装置への前記電源入力を状態監視する手段と、前記ヒューズバイパス回路の前記ヒューズをバイパスするか否かを制御するヒューズバイパス制御手段とを有することを特徴とする電源供給装置。
【請求項２】
ラックマウント筐体と、前記ラックマウント筐体に搭載される複数の被搭載装置と、前記ラックマウント筐体内に配備され前記被搭載装置へ電源供給を行うラックマウント筐体電源とを有し、前記ラックマウント筐体電源は、電源入力を受電する受電口と、前記受電口からの入力をオン、オフするブレーカと、前記ブレーカがオンのとき前記電源入力が供給される電源制御回路と、前記ブレーカの後段に設けられるリレーと、前記リレーの後段に設けられヒューズを備えたヒューズバイパス回路と、前記被搭載装置に対応して各々設けられ前記被搭載装置へ電源供給を行う給電口とを有し、前記被搭載装置は電源ヒューズを有し、前記電源制御回路は、前記電源入力の状態監視を行う入力ラインアラーム検出手段と、前記電源入力の状態を前記入力ラインアラーム検出手段から受信する障害情報通報手段と、前記被搭載装置への前記電源入力の状態監視を前記給電口で行う被搭載装置電源動作検出手段と、前記ヒューズバイパス回路の前記ヒューズをバイパスするか否かを制御するヒューズバイパス制御手段とを有することを特徴とする電源供給装置。
【請求項３】
前記電源制御回路は、前記リレーを制御し、前記被搭載装置に前記電源入力を供給することを特徴とする請求項２記載の電源供給装置。
【請求項４】
前記ヒューズバイパス制御手段は、前記ヒューズの溶断特性により前記ヒューズバイパス回路をバイパスするか否かを制御することを特徴とする請求項１または２記載の電源供給装置。
【請求項５】
前記ヒューズバイパス制御手段は、前記被搭載装置に設けられた前記電源ヒューズよりも前記ヒューズバイパス回路の前記ヒューズが先に溶断する場合は、前記ヒューズバイパス回路の前記ヒューズをバイパスすることを特徴とする請求項１または２記載の電源供給装置。
【請求項６】
前記ヒューズバイパス制御手段は、前記被搭載装置に設けられた前記電源ヒューズの電流許容値が前記ヒューズバイパス回路の前記ヒューズの電流許容値以下、且つ、前記ヒューズが前記電源ヒューズより短時間で溶断する立上り溶断特性を有する場合は、前記ヒューズバイパス回路の前記ヒューズをバイパスすることを特徴とする請求項１または２記載の電源供給装置。
【請求項７】
前記電源入力は、単相ＡＣ１００Ｖまたは単相ＡＣ２００Ｖを有することを特徴とする請求項１または２記載の電源供給装置。
【請求項８】
前記電源制御回路は、前記電源入力が供給されたとき、前記入力ラインアラーム検出手段により前記電源入力の状態監視を行い、電圧変動の障害が発生した場合は、前記障害情報通報手段を介して、診断プロセッサへ障害情報の報告を行うことを特徴とする請求項２記載の電源供給装置。
【請求項９】
前記電源制御回路は、前記リレーをオンにし、前記給電口に前記電源入力を供給し、前記被搭載装置電源動作検出手段により前記給電口と接続している各々の前記被搭載装置の前記電源入力の状態監視を行い、電圧変動または電流変動の障害が発生した場合は、前記障害情報通報手段を介して、診断プロセッサへ障害情報の報告を行うことを特徴とする請求項２記載の電源供給装置。
【請求項１０】
前記被搭載装置の前記電源ヒューズの電流許容値と前記ヒューズバイパス回路内の前記ヒューズの電流許容値とは、診断プロセッサに格納されることを特徴とする請求項５または６記載の電源供給装置。
【発明の詳細な説明】
【０００１】
【発明の属する技術分野】
本発明は、電源供給装置に関し、特に、ラックマウント筐体へ搭載される複数の被搭載装置へ電源供給を行うラックマウント筐体電源に設けた電源制御回路は、ＡＣ電源入力の状態監視と、被搭載装置へのＡＣ電源の給電口の状態監視とを行い、ラックマウント筐体電源のＡＣ電源入力の障害、および、被搭載装置の障害の検出を行い、障害情報の報告を診断プロセッサへ行うことにより、不良、故障部分の保守・交換を容易にできる電源供給装置に関する。
【０００２】
【従来の技術】
従来のこの種の電源供給装置に関して、図面を参照して説明する。
【０００３】
図３は、従来の電源供給装置を示す概略構成ブロック図である。
【０００４】
図３を参照すると、電源供給装置１００は、ラックマウント筐体１３０と、ラックマウント筐体１３に搭載される複数のラック被搭載装置１１３、１１４、１１５と、ラックマウント筐体１３０内に配備され被搭載装置１１３、１１４、１１５へ電源供給を行うラックマウント筐体電源１３１とから構成され、ラックマウント筐体電源１３１は、ＡＣ電源入力１３２を受電する受電口１０１と、受電口１０１からの入力をオン、オフするブレーカ１０２と、ブレーカ１０２がオンのときＡＣ電源入力１３２が供給される電源制御回路１２０と、ブレーカの後段に設けられリレー制御線１２５を介して電源制御回路１２０により制御されるリレー１０３と、リレー１０３の後段に設けられるヒューズ１１０と、ラック被搭載装置１１３、１１４、１１５に対応して各々設けられラック被搭載装置１１３、１１４、１１５へ電源供給を行う給電口１０７、１０８、１０９とを備え、電源制御回路１２０は、ＡＣ電源入力１３２の状態監視を行うＡＣラインアラーム検出手段１２１と、ＡＣ電源入力１３２の状態をＡＣ入力ラインアラーム検出手段１２１から受信する障害情報通報手段１２２とから構成される。
【０００５】
上述のように構成された電源供給装置１００は、ラック被搭載装置１１３、１１４、１１５への電源供給を、ＡＣ電源入力１３２を給電口１０７、１０８、１０９を介して各々のラック被搭載装置１１３、１１４、１１５に分配することで行い、また、電源制御回路１２０によりラックマウント筐体電源１３１の障害の検出、障害情報の通報を行い、さらに、ラック被搭載装置１１３、１１４、１１５へ分配するＡＣ出力１３３、１３４、１３５をオン、オフすることにより供給電源の制御を行う。
【０００６】
ＡＣ電源入力１３２の障害検出は、ＡＣ入力ラインアラーム検出手段１２１により、ラックマウント筐体電源１３１のＡＣ電源入力１３２の受電口１０１の後段のブレーカ１０２とリレー１０３との間でのみ行っているため、ラックマウント筐体１３０に搭載されるラック被搭載装置１１３、１１４、１１５の電源部（図示せず）をも含めたラックマウント筐体１３０全体での電源障害の検出ができず、その障害情報を診断プロセッサ１０６へ報告ができないことになる。
【０００７】
また、多種多様なラック被搭載装置１１３、１１４、１１５に電源を供給する際、ラック被搭載装置１１３、１１４、１１５の電源特性（特にヒューズ溶断特性）により、ラックマウント筺体電源１３０のヒューズ１１０が先に溶断してしまい、誤って電源断にしてしまったり、何れかのラック被搭載装置１１３、１１４、１１５の電源故障により過電流になり、ラックマウント筺体電源１３１のヒューズ１１０が溶断して、ラックマウント筺体電源１３１全体が電源断になり、正常な他のラック被搭載装置１１３、１１４、１１５まで障害に巻き込んでしまうことがある。
【０００８】
そこで、複数の負荷を有する電源回路で、負荷側の事故から電源装置や電源ラインを確実に保護し、且つ、システム誤動作による２次災害を防止するものがある（特許文献１参照。）。
【０００９】
特許文献１記載の技術は、過電流保護機能付き電源装置の出力端には、複数の負荷回路が、複数の過電流検出部を介して接続され、負荷回路で過電流が発生すると、過電流検出部によって検出され、過電流検出信号が短絡回路に送られ、短絡回路は、これに応答して電源装置の出力端と接地とを短絡させることにより、電源装置からの電力供給を停止し、各機器の保護および２次災害の発生を防止している。
【００１０】
また、オプション機器側に給電する電源系統に異常が生じた場合に、オプション機器に本体側との通信に必要な制御用電源を確保するものもある（特許文献２参照。）。
【００１１】
特許文献２記載の技術は、過電流検出回路により過電流を検出するとその出力系統の電圧を落とすように制御し、出力系統の電圧が設定された値以下になった際にそれを検知する低電圧検知回路を設け、オプション機器へ給電する電源系統の何れかの出力系統の電圧が設定された値以下になった異常時には、該当する電源系統とは別の電源系統の出力系統から補助電源としてオプション機器に給電す
【特許文献１】
特開平１０ー１２４１５４号公報
【特許文献２】
特開２０００ー９２７４４号公報
【００１２】
【発明が解決しようとする課題】
上述の従来のＡＣ電源入力の障害検出を、ＡＣ入力ラインアラーム検出手段により、ラックマウント筐体電源のＡＣ電源入力の受電口の後段のブレーカとリレーとの間でのみ行う電源供給装置は、ラックマウント筐体に搭載されるラック被搭載装置の電源部をも含めたラックマウント筐体全体での電源障害の検出ができないという課題がある。
【００１３】
また、ラック被搭載装置に設けられたヒューズの溶断特性によっては、ラックマウント筺体電源のヒューズが先に溶断してしまい、誤って電源断にしてしまったり、或いは、何れかのラック被搭載装置の電源故障により過電流になり、ラックマウント筺体電源のヒューズが溶断して、ラックマウント筺体電源全体が電源断になり、障害の発生していないラック被搭載装置まで障害に巻き込んでしまうという課題がある。
【００１４】
特許文献１記載の技術は、複数の過電流検出手段の少なくとも１つが負荷回路の過電流を検出すると、出力端に接地を発生させ、出力端からの電源供給を停止するため、１つの負荷回路の障害ために、障害の発生していない正常な他の負荷回路への給電も停止され、正常な他の負荷回路の動作が継続できないという課題がある。
【００１５】
特許文献２記載の技術は、電源装置の入力端での電圧を確認する手段がないため、入力端における電源障害を検出することができず、その障害をシステムに通知することができないという課題がある。
【００１６】
本発明の目的は、上記課題を解決すべく、複数の被搭載装置へ電源供給を行うラックマウント筐体電源に設けた電源制御回路により、ＡＣ電源入力の状態監視と、被搭載装置へのＡＣ電源入力の給電口での状態監視とを行い、ラックマウント筐体電源のＡＣ電源入力の障害、および、被搭載装置の障害の検出を行い、障害情報を診断プロセッサへ報告することにより、不良、故障部分の保守・交換を容易にできる電源供給装置を提供することにある。
【００１７】
また、被搭載装置に設けられた電源ヒューズよりもヒューズバイパス回路のヒューズが先に溶断する溶断特性をもつ場合は、ヒューズをバイパスすることにより、ラックマウント筺体電源のヒューズが先に溶断して電源断になることを防止し、或いは、何れかの被搭載装置の電源障害により過電流になり、ラックマウント筺体電源のヒューズが溶断してラックマウント筺体電源全体が電源断になり、故障の発生していない被搭載装置まで巻き込んで電源断になることを防止できる電源供給装置を提供することにある。
【００１８】
【課題を解決するための手段】
本発明の電源供給装置は、ラックマウント筐体と、ラックマウント筐体に搭載される複数の被搭載装置と、ラックマウント筐体内に配備され被搭載装置へ電源供給を行うラックマウント筐体電源とを有し、ラックマウント筐体電源は、ブレーカがオンのとき電源入力が供給される電源制御回路と、ヒューズを備えたヒューズバイパス回路とを有し、被搭載装置は電源ヒューズを有し、電源制御回路は、電源入力を状態監視する手段と、被搭載装置への電源入力を状態監視する手段と、ヒューズバイパス回路のヒューズをバイパスするか否かを制御するヒューズバイパス制御手段とを有することを特徴とする。
【００１９】
本発明の電源供給装置は、ラックマウント筐体と、ラックマウント筐体に搭載される複数の被搭載装置と、ラックマウント筐体内に配備され被搭載装置へ電源供給を行うラックマウント筐体電源とを有し、ラックマウント筐体電源は、電源入力を受電する受電口と、受電口からの入力をオン、オフするブレーカと、ブレーカがオンのとき電源入力が供給される電源制御回路と、ブレーカの後段に設けられるリレーと、リレーの後段に設けられヒューズを備えたヒューズバイパス回路と、被搭載装置に対応して各々設けられ被搭載装置へ電源供給を行う給電口とを有し、被搭載装置は電源ヒューズを有し、電源制御回路は、電源入力の状態監視を行う入力ラインアラーム検出手段と、電源入力の状態を入力ラインアラーム検出手段から受信する障害情報通報手段と、被搭載装置への電源入力の状態監視を給電口で行う被搭載装置電源動作検出手段と、ヒューズバイパス回路のヒューズをバイパスするか否かを制御するヒューズバイパス制御手段とを有することを特徴とする。
【００２０】
電源制御回路は、リレーを制御し、被搭載装置に電源入力を供給することを特徴とする。
【００２１】
ヒューズバイパス制御手段は、ヒューズの溶断特性によりヒューズバイパス回路をバイパスするか否かを制御することを特徴とする。
【００２２】
ヒューズバイパス制御手段は、被搭載装置に設けられた電源ヒューズよりもヒューズバイパス回路のヒューズが先に溶断する場合は、ヒューズバイパス回路のヒューズをバイパスすることを特徴とする。
【００２３】
ヒューズバイパス制御手段は、被搭載装置に設けられた電源ヒューズの電流許容値がヒューズバイパス回路のヒューズの電流許容値以下、且つ、ヒューズが電源ヒューズより短時間で溶断する立上り溶断特性を有する場合は、ヒューズバイパス回路のヒューズをバイパスすることを特徴とする。
【００２４】
電源入力は、単相ＡＣ１００Ｖまたは単相ＡＣ２００Ｖを有することを特徴とする。
【００２５】
電源制御回路は、電源入力が供給されたとき、入力ラインアラーム検出手段により電源入力の状態監視を行い、電圧変動の障害が発生した場合は、障害情報通報手段を介して、診断プロセッサへ障害情報の報告を行うことを特徴とする。
【００２６】
電源制御回路は、リレーをオンにし、給電口に電源入力を供給し、被搭載装置電源動作検出手段により給電口と接続している各々の被搭載装置の電源入力の状態監視を行い、電圧変動または電流変動の障害が発生した場合は、障害情報通報手段を介して、診断プロセッサへ障害情報の報告を行うことを特徴とする。
【００２７】
被搭載装置の電源ヒューズの電流許容値とヒューズバイパス回路内のヒューズの電流許容値とは、診断プロセッサに格納されることを特徴とする。
【００２８】
【発明の実施の形態】
次に、本発明の電源供給装置の一実施の形態について、図面を参照して説明する。
【００２９】
図１は、本発明の電源供給装置の一実施の形態を示す概略構成ブロック図である。
【００３０】
図１を参照すると、電源供給装置４０は、ラックマウント筐体３０と、ラックマウント筐体３０に搭載される複数の被搭載装置１３、１４、１５と、ラックマウント筐体３０内に配備され被搭載装置１３、１４、１５へ電源供給を行うラックマウント筐体電源３１とで構成され、ラックマウント筐体電源３１は、ＡＣ電源入力３２（交流単相１００Ｖまたは２００Ｖ）を受電する受電口１と、受電口１からの入力をオン、オフするブレーカ２と、ブレーカ２がオンのときＡＣ電源入力３２が供給される電源制御回路２０と、ブレーカ２の後段に設けられるリレー３と、リレー３の後段に設けられヒューズ（図示せず）とヒューズをスイッチングしてバイパスする回路（図示せず）とを備えたヒューズバイパス回路１０、１１、１２と、被搭載装置１３、１４、１５に対応して各々設けられ被搭載装置１３、１４、１５へＡＣ電源出力３３、３４、３５の供給を行う給電口７、８、９とで構成され、被搭載装置１３、１４、１５は、電源ヒューズ（図示せず）を有し、電源制御回路２０は、ＡＣ電源入力３２の状態監視を行う入力ラインアラーム検出手段２１と、ＡＣ電源入力３２の状態を入力ラインアラーム検出手段２１から受信する障害情報通報手段２２と、被搭載装置１３、１４、１５へのＡＣ電源入力３２の状態監視を給電口７、８、９で行う被搭載装置電源動作検出手段２３と、ヒューズバイパス回路１０、１１、１２に各々設けられたヒューズをバイパスするか否かを制御するヒューズバイパス制御手段２４とから構成される。
【００３１】
次に、上述のように構成された電源供給装置４０の動作について図面を参照して説明する。
【００３２】
図２は、電源供給装置４０の動作を示すフローチャートである。
【００３３】
図２を参照すると、システム管理者（操作員）は、ラックマウント筺体電源３１のブレーカ２をＯＮにする（Ｓ１）と、電源制御回路２０は、ＡＣ電源入力３２が投入されて動作を開始し（Ｓ２）、入力ラインアラーム検出手段２１によりＡＣ電源入力３２の電圧状態の監視を開始する（Ｓ３）。
【００３４】
なお、ＡＣ電源入力３２の電圧状態の監視は、例えば、入力電圧が１００Ｖのとき、１１０Ｖ以上、または、８８Ｖ以下になる電圧状態をチェックする。
【００３５】
次に、電源制御回路２０は、操作員により予め診断プロセッサ６に設定されている被搭載装置１３、１４、１５の電源ヒューズの電流許容値とヒューズバイパス回路１０、１１、１２内のヒューズの電流許容値との情報が格納されるヒューズバイパス設定情報（Ｓ４、Ｓ５）を診断プロセッサ６から入手し、その情報に基づき、ヒューズバイパス制御手段２４は、ヒューズバイパス回路１０、１１、１２に各々設けられたヒューズをバイパスするか否かの指示を与える（Ｓ６）。
【００３６】
なお、ヒューズバイパス制御手段２４は、電源ヒューズとヒューズとの溶断特性によりヒューズバイパス回路１０、１１、１２をバイパスするか否かを制御するが、被搭載装置１３、１４、１５に設けられた電源ヒューズよりもヒューズバイパス回路１０、１１、１２のヒューズが先に溶断する場合、即ち、電源ヒューズの電流許容値（Ｉｄ）がヒューズの電流許容値（Ｉｓ）より大きいとき（Ｉｄ＞Ｉｓ）、ヒューズバイパス回路１０、１１、１２のヒューズをバイパスする指示を与える。
【００３７】
また、ヒューズバイパス制御手段２４は、被搭載装置１３、１４、１５に設けられた電源ヒューズの電流許容値（Ｉｄ）がヒューズバイパス回路１０、１１、１２のヒューズの電流許容値（Ｉｓ）以下（Ｉｄ≦Ｉｓ）、且つ、ヒューズが電源ヒューズより短時間で溶断する立上り溶断特性をもつ場合は、ヒューズバイパス回路１０、１１、１２のヒューズをバイパスする指示を与える。
【００３８】
ヒューズバイパス回路１０、１１、１２は、ヒューズバイパス制御手段２４からの指示により、給電口７、８、９に対するヒューズをバイパスするか、またはバイパスせずにそのまま使用する（Ｓ７）。
【００３９】
操作員からのＡＣ電源入力３２オン（ＯＮ）指示により（Ｓ８）、電源制御回路２０は、リレー制御線２５を介してリレー２をオンにすると（Ｓ９）、被搭載装置１３、１４、１５にＡＣ電源入力３２が供給され、被搭載装置１３、１４、１５は動作を開始する（Ｓ１０）。
【００４０】
被搭載装置電源動作検出手段２３は、被搭載装置１３、１４、１５に供給されるＡＣ電源入力３２の状態監視を開始する（Ｓ１１）。
【００４１】
ここで、被搭載装置１３、１４、１５の何れかに電源障害が発生すると、被搭載装置電源動作検出手段２３は、電源異常（電圧変動異常）を検出し、障害発生の被搭載装置１３、１４、１５の障害情報を採取して障害情報通報手段２２に通知し（Ｓ１２）、障害情報を受信した障害情報通報手段２２は、障害情報を診断プロセッサ（ＤＧＰ）６に通知し（Ｓ１３）、障害情報を受け取ったＤＧＰ６は、障害情報を保存し、操作員へ通知する（Ｓ１４）。
【００４２】
操作員は、障害情報に基づき、保守員コールを行うことになるが（Ｓ１５）、保守員による処置により、障害発生の被搭載装置１３、１４、１５は、障害が復旧され動作を再開する（Ｓ１６）。
【００４３】
次に、運用を停止する際は、操作員からのＡＣ電源入力３２のオフ（ＯＦＦ）指示により（Ｓ１７）、電源制御回路２０は、リレー制御線２５を介してリレー２をオフにすると（Ｓ１８）、被搭載装置１３、１４、１５へのＡＣ電源入力３２の供給が切断され、被搭載装置１３、１４、１５の動作が停止するが（Ｓ１９）、これと同時に、被搭載装置電源動作検出手段２３は、被搭載装置１３、１４、１５に供給されるＡＣ電源入力３２の状態監視を停止する（Ｓ２０）。
【００４４】
次に、電源制御回路２０は、ヒューズバイパス制御手段２４によりヒューズバイパス回路１０、１１、１２にバイパス解除指示を与え（Ｓ２１）、ヒューズバイパス回路１０、１１、１２は、ヒューズバイパス制御手段２４からの指示により、給電口７、８、９に対するヒューズバイパス回路１０、１１、１２内のヒューズのバイパスを解除する（Ｓ２２）。
【００４５】
操作員は、ラックマウント筺体電源３１のブレーカ２をＯオフにすると（Ｓ２３）、電源制御回路２０は、ＡＣ電源入力３２が切断され、動作を停止し（Ｓ２４）、ＡＣラインアラーム検出手段２１によるＡＣ電源入力３２の状態監視を停止する（Ｓ２５）。
【００４６】
なお、上記実施の形態では、被搭載装置１３、１４、１５を３台としているが、被搭載装置１３、１４、１５の台数は、限定されず、被搭載装置がｎ台（ｎ；自然数）のとき、給電口の個数をｎ個、ヒューズバイパス回路をｎ個とし、電源制御回路による電源状態の監視対象をｎ個にする構成とする場合も、上述の実施の形態と同様な効果が得られ、本発明に含まれることは云うまでもない。
【００４７】
【発明の効果】
以上説明したように、本発明の電源供給装置は、ラックマウント筐体へ搭載される複数の被搭載装置へ電源供給を行うラックマウント筐体電源に設けた電源制御回路により、ＡＣ電源入力の状態監視と、被搭載装置へのＡＣ電源の給電口での状態監視とを行い、ラックマウント筐体電源のＡＣ電源入力の障害、および、被搭載装置の障害の検出を行い、障害情報を診断プロセッサへ報告することにより、不良、故障部分の保守・交換を容易にできるという効果がある。
【００４８】
また、ヒューズバイパス制御手段からの指示より、各給電口の前段にあるヒューズバイパス回路のヒューズをバイパスするため、被搭載装置に電源を供給する際、被搭載装置に設けられた電源ヒューズの溶断特性により、ラックマウント筺体電源のヒューズが先に溶断し、誤って電源断にしたり、或いは、ある被搭載装置の電源故障により過電流になり、ラックマウント筺体電源のヒューズが溶断して、ラックマウント筺体電源全体が電源断になり、故障の発生していない被搭載装置まで巻き込んで電源断になるといったことを防止できるという効果がある。
【図面の簡単な説明】
【図１】本発明の電源供給装置の一実施の形態を示す概略構成ブロック図である。
【図２】本発明の電源供給装置の動作を示すフローチャートである。
【図３】従来の電源供給装置を示す概略構成ブロック図である。
【符号の説明】
１、１０１    受電口
２、１０２    ブレーカ
３、１０３    リレー
６、１０６    診断プロセッサ
７、８、９    給電口
１０、１１、１２    ヒューズバイパス回路
１３、１４、１５    被搭載装置
２０、１２０    電源制御回路
２１    入力ラインアラーム検出手段
２２、１２２    障害情報通報手段
２３    被搭載装置電源動作検出手段
２４    ヒューズバイパス制御手段
２５、１２５    リレー制御線
３０、１３０    ラックマウント筐体
３１、１３１    ラックマウント筺体電源
３２、１３２    ＡＣ電源入力
３３、３４、３５    ＡＣ電源出力
４０、１００    電源供給装置
１０７、１０８、１０９    給電口
１１０    ヒューズ
１１３、１１４、１１５    ラック被搭載装置
１２１    ＡＣラインアラーム検出手段
１３３、１３４、１３５    ＡＣ出力
【図１】
2004187381.tif 000003
【図２】
2004187381.tif 000004
【図３】
2004187381.tif 000005